(57)【要約】      （修正有）【課題】身体の汚れを洗い流すために十分な空間を具備し、且つ、簡易的に組み立てが可能であり、更には低コストでの車載用簡易シャワー室を提供する。【解決手段】パイプ取付け孔を備えた金属製部品１を磁石３に磁力で取り付け、更に当該磁石を車体側面金属部に取り付ける。次に、変形自在のバネ、ピアノ線、ワイヤーや金属製または樹脂製のカーテンレール２のエルボー構造両先端部を金属製部品１の孔に差し込み、取り外し可能なカーテンをカーテンレール２に吊るせば完成する。【選択図】図４
0003201545.tif 000002
【実用新案登録請求の範囲】
【請求項１】
パイプ差込孔を備えた部品と磁石から成る固定治具を当該磁石の磁力により車体本体に取り付け、カーテン用レールの両端がエルボー構造となっており、前記エルボー部から先端部の領域を前記固定治具のパイプ差込孔に差し込むことで得られる簡易シャワー室。
【請求項２】
カーテン用レールと磁石が一体化された固定治具から成り、当該固定治具を自動車本体に取り付けることで得られる簡易シャワー室。
【請求項３】
車体ドアを開放状態にして当該車体ドアの先端部とヒンジ部、並びに車体側の３点に磁石を取り付け、当該磁石と車体領域の間にカーテンを挟むことで得られる簡易シャワー室。
【請求項４】
カーテン上部に予め磁石を縫い付け、或いは貼付けるなどして固定させ、前記カーテンに固定させた磁石を当該車体ドアの先端部とヒンジ部、並びに車体側に取り付けたことで得られる請求項３記載の簡易シャワー室。
【請求項５】
前記車体ドアを開放状態にして当該車体ドアの先端部とヒンジ部、並びに車体側の３点にカーテンを取り付ける方法に於いて、取り付け部品が磁石のみならず車体プラスチック部にも取り付け可能とするために予めカーテンに吸盤、マジックテープ若しくはグリップを取り付けたカーテンにより得られる簡易シャワー室。
【考案の詳細な説明】
【技術分野】
【０００１】本考案は、荷卸しを必要とするトラック運転手やアウトドアライフの後に汗や埃などを迅速、且つ簡易的に洗い流すことが可能な組み立て式シャワー室に関する。
【背景技術】
【０００２】従来、荷卸しを必要とするトラック運転手や長距離運転手、若しくはアウトドアライフを楽しんだ者たちは、汗や砂埃で汚れている状態で直接運転することを望んでいない。また、身体の汚れを本格的に洗い落とすためのシャワーを望んでもいない。この要求を満足させるための車載搭載型の組み立て簡易シャワー室が幾つか提案されている。
【先行技術文献】
【特許文献】
【０００３】
【特許文献１】実用新案公報３１８９４２３号
【特許文献２】特開平１０−２１１６４５号
【０００４】
【考案の概要】
【考案が解決しようとする課題】
【０００５】前述の通り、荷卸しを必要とするトラック運転手や長距離運転手、若しくはアウトドアライフを楽しんだ者たちは、汗や砂埃で汚れている状態で運転することを望んでいない。しかし、現実を鑑みると顧客ニーズはあるものの製品としての販売はなされていないのが現状である。【０００６】特許文献１には、車両の助手席に設置し利用できる車載シャワーユニットが提案されている。本発明は、車両内部でのシャワー利用を前提としているため構造が複雑となり、且つ助手席の狭い空間を利用しているため全身の汚れを洗い落とすには環境的に厳しい。【０００７】特許文献２は、狭い車内空間でなく車外に簡易シャワーを設置する考案が提案されている。具体的には、円型の金輪の端を直角に曲げ差込部をパイプ支柱の先端孔に差込、そのパイプ支柱を、停車中の後部トランクを開け、トランク後壁の床上に立て、支柱の下部を、トランクロック金具に取り付けた紐で縛って固定し、又、両端に鉤付きの２本のトランク蓋の上面に沿って延びるゴム紐の一端の鉤を支柱の中部に、他端を、トランク開閉アームに掛け、ゴムで引っ張って、固定し、立設して得られる円筒形の空間のスペースを利用するシャワーである。【０００８】当該特許文献には別の方法として、カーテンを吊された、水平に保持された金輪の端に直角に曲げた差込部を、パイプ支柱の先端の孔を差し込み、そのパイプ支柱を、車の後部トランクを利用することなく、パイプ差込孔を持つ地上の台座の孔に、又は、地面に打込んだ太めのパイプ杭の孔に差し込み、或いは、地面に打ち込んだ杭、立木に縛りつけ、更には、地面に埋め込む等の方法で、立設、固定して、得られる円筒形の空間のスペースを利用することも提案されている。確かに、本考案では身体を洗い流すためのスペースは確保されるが、いずれの方法も組み立てに要する時間が長く、アスファルト道路やコンクリート道路では杭を地面に打ち込めず実用面で課題が残る。
【課題を解決するための手段】
【０００９】上記課題に鑑み、考案者は誠意工夫の結果、身体の汚れを洗い流すために十分な空間を確保でき、簡易的にシャワー室を組み立てることができ、更には低コストでのシャワー室を提供できることを見出した。
【考案の効果】
【００１０】本考案によれば、駐車可能な狭いスペースさえあれば、迅速、容易にシャワー室を組み立てることができる。
【図面の簡単な説明】
【００１１】
【図１】本考案の一実施例である固定治具の構造を示す。
【図２】本考案の一実施例であるエルボー構造を具備したカーテンレールを示す。
【図３】トラック側面を示す。
【図４】トラック助手席側の車体に取り付けたエルボー構造を具備したカーテンレールによるシャワー室である。
【図５】本考案による一実施例である車体ドアを開放にした状態にて磁石とカーテンにより組み立てたシャワー室である。
【考案を実施するための形態】
【００１２】以下、本考案に係る実施の形態を図面により説明する。
【実施例】
【００１３】図１は、本考案の一実施例であるエルボー構造を具備したレールによるシャワー室に使用する部品の一例を示す。左図はパイプ取付け孔を備えた金属製部品（１）の側面、右図は当該金属製部品（１）の上部から観察した構造を示す。図２はエルボー構造を具備したカーテンレール（２）を示す。図３はトラック側面図を示し、図４は当該トラックを上部から見た運転室内の簡略図であるが、具体的にはパイプ取付け孔を備えた金属製部品（１）を磁石（３）に磁力で取り付け、更に当該磁石を車体側面金属部に取り付ける。次に、変形自在のバネ、ピアノ線、ワイヤーや金属製または樹脂製のカーテンレール（２）のエルボー構造両先端部を金属製部品（１）の孔に差し込み、取り外し可能なカーテンをカーテンレール（２）に吊るせば完成する。【００１４】前記パイプ取付け孔を備えた金属製部品に関しては、塩化ビニルパイプを磁石にガムテープなどにて貼り付けることでも対応可能である。カーテンに関しては予めカーテンをレールに吊るしたものでも良い。前記操作により組み立てられたシャワー室に入室し、例えば水を充填したペットボトルを数本常時車内に準備していれば身体の汗や汚れなど洗い流すに十分である。【００１５】図５は本考案による一実施例である車体ドア（８）を開放にした状態にて組み立てたシャワー室であり、具体的には、カーテン（４）は磁石（３）を介して車体に取り付けられる。前記磁石の取り付け位置はドア側面金属部（５）、ドアヒンジ部（６）および車体本体部（７）にて三角形型のシャワー室が完成する。当該考案によれば、３個の磁石（３）とカーテン（４）のみでシャワー室を構成できるので非常に安価となる。尚、上記三角形型シャワーのカーテン（４）の上部に予め磁石（３）を取り付けた構造でも良い。更に簡易的にシャワー室を完成させるために、車体ドア（８）を開放にした状態にてドア側面金属部（５）と車体本体部（７）に磁石２個を使用しカーテンを介して取り付けても良い。【００１６】前記三角形型シャワーは磁石（３）にてカーテン（４）を固定する構造となっているが、車両によっては前記磁石取り付け部が金属でない場合もあるため、例えばプラスチック製などあり、その場合には図６から図８に示す吸盤、グリップ若しくはマジックテープなど利用しても良い。図示していないがカーテン（４）に二か所以上に前記取り付け治具を用いても良い。【００１７】尚、実施例に記載した本考案は一例に過ぎず、例えばカーテン取り付けレールは円型でも良く、カーテン下部にもカーテン取り付けレールを具備させても良い。また、図示しないが磁石（３）表面に保護シートなど貼り付ければ直接車体にキズが入ることも防止できる。
【産業上の利用可能性】
【００１８】本考案のシャワー室によれば、災害時でも車体本体だけでなく取り付け可能な柱や壁があれば、被害者は常時シャワーを浴びることも可能となる
【符号の説明】
【００１９】１    パイプ取付け孔を備えた金属製部品
２    カーテンレール
３    磁石
４    カーテン
５    ドア側面金属部
６    ドアヒンジ部
７    車体本体部
８    車体ドア
９    吸盤
１０  グリップ
１１  マジックテープ
【図１】
0003201545.tif 000003
【図２】
0003201545.tif 000004
【図３】
0003201545.tif 000005
【図４】
0003201545.tif 000006
【図５】
0003201545.tif 000007
【図６】
0003201545.tif 000008
【図７】
0003201545.tif 000009
【図８】
0003201545.tif 000010
【手続補正書】
【提出日】平成27年9月25日(2015.9.25)
【手続補正１】
【補正対象書類名】実用新案登録請求の範囲
【補正対象項目名】請求項５
【補正方法】変更
【補正の内容】
【請求項５】
車体ドアを開放状態にして当該車体ドアの先端部とヒンジ部、並びに車体側の３点にカーテンを取り付ける方法に於いて、取り付け部品が磁石のみならず車体プラスチック部にも取り付け可能とするために予めカーテンに吸盤、面ファスナー若しくはグリップを取り付けたカーテンにより得られる簡易シャワー室。
【手続補正３】
【補正対象書類名】明細書
【補正対象項目名】００１１
【補正方法】変更
【補正の内容】
【００１１】
【図１】一実施例である固定治具の構造を示す。
【図２】一実施例であるエルボー構造を具備したカーテンレールを示す。
【図３】トラック側面を示す。
【図４】トラック助手席側の車体に取り付けたエルボー構造を具備したカーテンレールによるシャワー室である。
【図５】一実施例である車体ドアを開放にした状態にて磁石とカーテンレールにより組み立てたシャワー室である。
【図６】磁石の代わりに吸盤を具備させたシャワーカーテンである。
【図７】磁石の代わりにグリップを具備させたシャワーカーテンである。
【図８】磁石の代わりに面ファスナーを具備させたシャワーカーテンである。
【手続補正４】
【補正対象書類名】明細書
【補正対象項目名】００１６
【補正方法】変更
【補正の内容】
【００１６】前記三角形型シャワーは磁石（３）にてカーテン（４）を固定する構造となっているが、車両によっては前記磁石取り付け部が金属でない場合もあるため、例えばプラスチック製などあり、その場合には図６から図８に示す吸盤、グリップ若しくは面ファスナーなど利用しても良い。図示していないがカーテン（４）に二か所以上に前記取り付け治具を用いても良い。
【手続補正５】
【補正対象書類名】明細書
【補正対象項目名】００１９
【補正方法】変更
【補正の内容】
【００１９】１    パイプ取付け孔を備えた金属製部品
２    カーテンレール
３    磁石
４    カーテン
５    ドア側面金属部
６    ドアヒンジ部
７    車体本体部
８    車体ドア
９    吸盤
１０  グリップ
１１  面ファスナー